(57)【特許請求の範囲】
【請求項１】
端子を収容したインナハウジングと、前記インナハウジングへの前記端子の挿入方向に該インナハウジングに装着されるアウタハウジングと、を備えたコネクタであって、
前記アウタハウジングが、前記インナハウジングの端子収容室に収容された前記端子に該アウタハウジングの装着方向に当接あるいは僅かに隙間をおいて対向する押圧部を有しており、
前記端子は、先端部に相手端子と接触する接点部が設けられていると共に基端部は該接点部に比べて細くあるいは扁平に形成されており、前記接点部を先にして前記インナハウジングに挿入され、前記アウタハウジングが、前記インナハウジングの端子収容室内に進入して該収容室内に収容された前記端子の基端部を支持する支持部を有していることを特徴とするコネクタ。
【請求項２】
前記支持部は前記端子の基端部を挟むように支持していることを特徴とする請求項１に記載したコネクタ。
【発明の詳細な説明】
【技術分野】
【０００１】
本発明は、端子を収容したコネクタに関し、より詳細には、端子の中途挿入を防止するようにしたコネクタに関する。
【背景技術】
【０００２】
従来のコネクタにおいて、コネクタハウジングの端子収容室に収容された端子が中途挿入であるか否かを検知するものが知られている（例えば、特許文献１参照）。
【０００３】
図１０に示すように、特許文献１に開示されたコネクタ１００は、端子を収容するハウジング１０１と、ハウジング１０１の前面側から該ハウジング１０１に装着されるフロントホルダ１０２とを備えている。フロントホルダ１０２には、ハウジング１０１の後端に向けて伸びる帯片状の中途挿入検知部１０３，１０４が設けられている。
【０００４】
ハウジング１０１の端子収容室１０５には、室内に収容した端子を係止する弾性係止腕１１４が設けられ、弾性係止腕１１４の上方には撓み空間１１５が設けられている。フロントホルダ１０２がハウジング１０１に装着されるのに伴い、フロントホルダ１０２の中途挿入検知部１０３，１０４は、それぞれ撓み空間１１５に進入するようになっている。
【０００５】
ここで、端子収容室１０５への端子の挿入が中途であると、弾性係止腕１１４は、端子に干渉して復元することができず、撓み空間１１５に突出した状態にある。フロントホルダ１０２の中途挿入検知部１０３，１０４は、撓み空間１１５に突出した弾性係止腕１１４の先端の斜面に案内されて撓み空間１１５の開口部の上縁に設けられた当り面１１１に当接してしまい、撓み空間１１５への進入を阻止される。よって、フロントホルダ１０２をハウジング１０１に装着することができず、ここに、端子が中途挿入であることを検知することができる。
【０００６】
【特許文献１】特開平８−２８８０１７号公報
【発明の開示】
【発明が解決しようとする課題】
【０００７】
しかしながら、特許文献１に開示されたコネクタでは、端子が中途挿入であることの検知は可能であるが、フロントホルダの操作によっては端子を端子収容室１０５の所定位置まで挿入することができず、また、いずれの端子が中途挿入であるかまでは判別することができない。従って、改めて端子を個々に端子収容室１０５に押し込む作業が必要となり、組立の作業性に劣る。
【０００８】
また、端子は、典型的にはその先端部に相手端子と接触する接点部が設けられ、基端部は、電線やプリント基板の回路などと接続するものであって、接点部に比べて扁平あるいは細く形成される。特許文献１に開示されたコネクタでは、ハウジング１０１の後端側から端子が挿入される構成であり、そこで、端子は接点部を先にしてハウジング１０１へ挿入されることとなり、端子収容室１０５は端子の接点部を挿通させるべく該接点部に合わせた大きさに形成される。とすると、端子収容室１０５に収容された端子の基端部は、接点部に比べて扁平あるいは細いため、端子収容室を画成する隔壁に拘束されず、外部振動等によって振れやガタつきを生じやすく、電線や基板回路などとの接続に支障をきたす虞がある。
【０００９】
本発明は、上記の事情に鑑みてなされたものであり、その目的は、組立の作業性、信頼性に優れ、端子の中途挿入を防止するようにしたコネクタを提供することにある。
【課題を解決するための手段】
【００１０】
上記の目的は、本発明に係る下記（１）、（２）のコネクタにより達成される。
【００１１】
（１）端子を収容したインナハウジングと、前記インナハウジングへの前記端子の挿入方向に該インナハウジングに装着されるアウタハウジングと、を備えたコネクタであって、前記アウタハウジングが、前記インナハウジングの端子収容室に収容された前記端子に該アウタハウジングの装着方向に当接あるいは僅かに隙間をおいて対向する押圧部を有しており、前記端子は、先端部に相手端子と接触する接点部が設けられていると共に基端部は該接点部に比べて細くあるいは扁平に形成されており、前記接点部を先にして前記インナハウジングに挿入され、前記アウタハウジングが、前記インナハウジングの端子収容室内に進入して該収容室内に収容された前記端子の基端部を支持する支持部を有していることを特徴とするコネクタ。
（２）前記支持部は前記端子の基端部を挟むように支持していることを特徴とする上記（１）に記載したコネクタ。
【発明の効果】
【００１２】
本発明に係るコネクタによれば、アウタハウジングの押圧部は、インナハウジングの所定位置に収容された端子に該アウタハウジングの装着方向に当接あるいは僅かに隙間をおいて対向する。そして、アウタハウジングの装着方向はインナハウジングへの端子の挿入方向に一致している。従って、端子が所定位置に収容されていない場合、即ち、中途挿入の状態にある場合に、アウタハウジングの装着に伴って該アウタハウジングの押圧部は端子をその挿入方向に押圧することとなる。これにより、アウタハウジングの装着とともに中途挿入の状態にある端子を所定位置に挿入することができ、ここに、端子の中途挿入の防止と組立の作業性の向上とを図ることができる。
【００１３】
さらに、本発明に係るコネクタによれば、端子は、先端部に相手端子と接触する接点部が設けられていると共に基端部は該接点部に比べて扁平あるいは細く形成され、前記接点部を先にして前記インナハウジングに挿入されている。かかる構成は上述のとおり端子の典型的な構成であるが、アウタハウジングがインナハウジングの端子収容室内に進入して該収容室内に収容された端子の基端部を支持する支持部を有している。これにより端子収容室を画成する隔壁に拘束されることのない端子の基端部を支持することができ、端子の基端部の振れやガタつきを防止して信頼性の向上を図ることができる。
【発明を実施するための最良の形態】
【００１４】
以下、図を参照して本発明に係るコネクタの好適な実施形態を説明する。
図１は本発明に係るコネクタの一実施形態の外観斜視図、図２は図１に示すコネクタのインナハウジングの外観斜視図、図３は図１に示すコネクタのアウタハウジングの外観斜視図、図４は図３とは別角度からみた図１に示すコネクタのアウタハウジングの外観斜視図、図５は図１に示すコネクタのインナハウジングに収容された第１端子の外観斜視図、図６は図１に示すコネクタのインナハウジングに収容された第２端子の外観斜視図、図７は図１に示すコネクタの正面図、図８は図７におけるI−I線断面図、図９は図７におけるII−II線断面図である。
【００１５】
図１に示すように、本実施形態のコネクタ１０は、インナハウジング１１と、このインナハウジング１１に装着されるアウタハウジング１２と、を備えている。
【００１６】
図２に示すように、インナハウジング１１は断面略矩形の筒状をなす本体１５を有している。本体１５の内部には、２行２列に配列されて本体１５の軸方向に前後に伸びる４個の第１端子用端子収容室２０が区画形成され、さらに、これら４個の第１端子収容室２０の左右両側に２個の第２端子収容室２１が区画形成されている。インナハウジング１１の後端にあらわれる４個の第１端子収容室２０の開口部は、インナハウジング１１の後端において１の大きな開口部としてまとめられている。また、２個の第２端子収容室２１は、互いに本体１５の軸周りに回転された位置関係にある。
【００１７】
第１端子収容室２０には第１端子１３（図５参照）が挿入され、また、第２端子収容室２１には第２端子１４（図６参照）が挿入される。
【００１８】
図５に示すように、第１端子１３は、導電性のある金属製板を所定形状に切断した後に折り曲げ成形され、先端部には相手端子と接触する接点部３１が、また、基端部には、相手コネクタの雌端子と接触する接続部３２が設けられている。
【００１９】
接点部３１は、断面略方形の筒状に成形され、その内側には相手端子との接点となる舌片が形成されており、また長手方向の中央部には周壁の一部を切欠いた切欠き部３３が形成されている。接続部３２は、接点部３１より細い棒状に成形され、接点部３１の基端に段差をもって連設されている。
【００２０】
図６に示すように、第２端子１４は、導電性のある金属製板を所定形状に切断した後に折り曲げ成形され、先端部には相手端子と接触する接点部３４が、また、基端部には電線やプリント基板の回路などと接続する接続部３５が設けられている。
【００２１】
接点部３４は断面略矩形の筒状に成形された基部３７及び基部３７の先端縁から延出されて相手端子との接点となる一対の挟持片３６，３６で構成されている。接点部３４は、挟持片３６の幅方向に基部３７よりも扁平に成形され、基部３７の基端に段差をもって連設されている。
【００２２】
これら第１端子１３及び第２端子１４は、それぞれの接点部３１又は接点部３４を先にして、インナハウジング１１の後端にあらわれる開口から第１端子収容室２０又は第２端子収容室２１に挿入される。
【００２３】
図１及び図３に示すように、アウタハウジング１２は、インナハウジング１１の後方から端子収容室２０，２１への端子１３，１４の挿入方向に該インナハウジング１１に装着される。ここに、図１にはアウタハウジング１２がインナハウジング１１の後端部に仮固定された状態を示している。
【００２４】
インナハウジング１１の本体１５の上面には、本体１５の軸方向に前後に伸びる帯板状のロック部１６が突出して形成されており、このロック部１６の後端部には仮固定用係合部１７が設けられ、また、ロック部１６の前端は本固定用係合部１８とされている。
【００２５】
アウタハウジング１２は、インナハウジング１１の本体１５に外嵌する筒状に成形されており、本体１５の上面に重なる上壁部２２には、該上壁部２２の前端縁から後端縁まで伸びる受容溝２３、及び受容溝２３に隣接してロックアーム１９を形成するように受容溝２３と平行に上壁部２２の前端縁から後方に伸びるスリット２４が形成されている。
【００２６】
アウタハウジング１２は、インナハウジング１１の本体１５に設けられたロック部１６の後端部を上壁部２２の受容溝２３に受容して、ロックアーム１９をロック部１６の仮固定用係合部１７に係合させ、それによりインナハウジング１１の後端部に仮固定されている。
【００２７】
そして、アウタハウジング１２は、ロック部１６を上壁部２２の受容溝２３に受容しつつさらに前方に移動され、ロックアーム１９をロック部１６の前端の本固定用係合部１８に係合させ、それによりインナハウジング１１に本固定（装着）される。
【００２８】
筒状のアウタハウジング１２の後端は底板２５により閉止されているが、底板２５の中央部には４個の第１端子挿通孔２６が穿設されており、また、これら４個の第１端子挿通孔２６の左右両側に２個の第２端子挿通孔２７が穿設されている。
【００２９】
アウタハウジング１２は、インナハウジング１１の第１端子収容室２０に収容された第１端子１３の接続部３２を第１端子挿通孔２６に挿通させ、インナハウジング１１の各第２端子収容室２１に収容された第２端子１４の接続部３５を第２端子挿通孔２７に挿通させながら、上記の仮固定から本固定の位置へ移動される。
【００３０】
図４に示すように、アウタハウジング１２の底板２５の内面における第１端子挿通孔２６の周縁には、第１端子挿通孔２６を延長するように該第１端子挿通孔２６の四方を取り囲みつつ前方に伸びる４つのリブ３０が突設されている。また、第１端子挿通孔２６の上方にあるリブ３０のさらに上方には、リブ３０に隣接して突部２８が突設されている。
【００３１】
リブ３０の前端部は、前端に向かうに従って第１端子挿通孔２６を拡開させるように傾斜しており、第１端子挿通孔２６への第１端子１３の接続部３２の進入を案内するようになっている。また、突部２８は、リブ３０よりもさらに前方に突出している。
【００３２】
さらに、アウタハウジング１２の底板２５の内面における第２端子挿通孔２７の上下縁には、該第２端子挿通孔２７を延長するように前方に伸びる２つのリブ２９が突設されている。
【００３３】
次に、図８、図９を参照して、インナハウジング１１へのアウタハウジング１２の装着における上記の突部２８、リブ２９、リブ３０の作用について詳細に説明する。
【００３４】
図８に示すように、インナハウジング１１の第１端子収容室２０には、第１端子収容室２０を画成している上壁面から室内に突出して前方に向けて伸びる弾性係止片３９が設けられている。また、第１端子収容室２０の前端部には、第１端子収容室２０に完全に収容された第１端子１３の接点部３１の突端を押止して第１端子１３の前方への抜けを規制する段部３８が設けられている。そして、段部３８に接点部３１の突端を当接させるまでに完全に第１端子収容室２０に収容された第１端子１３は、切欠き部３３を弾性係止片３９に係止されて後方への抜けを規制される。
【００３５】
ここで、第１端子収容室２０への第１端子１３の挿入が中途であると、第１端子収容室２０の段部３８と第１端子１３の接点部３１の突端との間には隙間があり、また、第１端子収容室２０の弾性係止片３９と第１端子１３の切欠き部３３とは非係合の状態にある。
【００３６】
かかる第１端子１３の中途挿入状態において、アウタハウジング１２が装着されるに伴い、アウタハウジング１２の突部２８が第１端子１３の接点部３１と接続部３２と間の段差、即ち接点部３１の基端に当接し、第１端子１３を前方へと押圧する。それにより、中途挿入状態にあった第１端子１３は、第１端子収容室２０内の所定位置、即ち、第１端子収容室２０の段部３８に接点部３１の突端を当接させる位置に移動され、切欠き部３３を弾性係止片３９に係止されて第１端子収容室２０に完全に収容される。
【００３７】
そして、アウタハウジング１２がインナハウジング１１に装着された状態において、アウタハウジング１２のリブ３０は、１の大きな開口部としてまとめられた４個の第１端子収容室２０の開口部に進入し、該開口部内に位置している第１端子１３の接続部３２を上下左右に挟むようにして支持している。
【００３８】
尚、第１端子１３が第１端子収容室２０に完全に収容され、アウタハウジング１２がインナハウジング１１に装着された状態において、アウタハウジング１２の突部２８と第１端子１３の接点部３１の基端とは当接あるいは僅かに隙間をおいて対向する。ここで、アウタハウジング１２がインナハウジング１１に装着された状態で第１端子１３に負荷がかかることを極力回避するという観点で、アウタハウジング１２の突部２８と第１端子１３の接点部３１の基端とは僅かに隙間をおいて対向することが好ましい。
【００３９】
同様に、第２端子１４の中途挿入状態において、アウタハウジング１２が装着されるに伴い、アウタハウジング１２のリブ２９が第２端子１４の接点部３４と接続部３５と間の段差、即ち基部３７の基端に当接し、第２端子１４を前方へと押圧する。それにより、中途挿入状態にあった第２端子１４は、第２端子収容室２１内の所定位置に変位され、第２端子収容室２１に完全に収容される。
【００４０】
そして、アウタハウジング１２がインナハウジング１１に装着された状態において、アウタハウジング１２のリブ２９は、第２端子収容室２１の開口部に進入し、該開口部内に位置している第２端子１４の接続部３５を上下に挟むようにして支持している。
【００４１】
本発明に係るコネクタ１０によれば、アウタハウジング１２の突部２８及びリブ２９は、インナハウジング１１の所定位置に収容された端子１３，１４に該アウタハウジング１２の装着方向に沿って当接あるいは僅かに隙間をおいて対向する。そして、アウタハウジング１２の装着方向はインナハウジング１１への端子１３，１４の挿入方向に一致している。従って、端子１３，１４が所定位置に収容されていない場合、即ち、中途挿入の状態にある場合に、アウタハウジング１２の装着に伴って該アウタハウジング１２の突部２８及びリブ２９は端子１３，１４をその挿入方向に押圧することとなる。これにより、アウタハウジング１２の装着とともに中途挿入の状態にある端子１３，１４を所定位置に挿入することができ、ここに、端子１３，１４の中途挿入の防止と組立の作業性の向上とを図ることができる。
【００４２】
さらに、本発明に係るコネクタ１０によれば、端子１３，１４は、先端部に相手端子と接触する接点部３１，３４が設けられていると共に基端部３２，３５は該接点部３１，３４に比べて扁平あるいは細く形成され、前記接点部３１，３４を先にして前記インナハウジング１１に挿入されている。かかる構成は端子の典型的な構成であるが、アウタハウジング１２が、インナハウジング１１の端子収容室２０，２１内に進入して該収容室２０，２１内に収容された端子１３，１４の基端部３２，３５を支持するリブ２９，３０を有している。これにより端子収容室２０，２１を画成する隔壁に拘束されることのない端子１３，１４の基端部３２，３５を支持することができ、端子１３，１４の基端部３２，３５の振れやガタつきを防止して信頼性の向上を図ることができる。
【００４３】
なお、本発明は上述した各実施形態に限定されるものではなく、本発明の要旨を逸脱しない範囲において適宜変更可能である。
【図面の簡単な説明】
【００４４】
【図１】本発明に係るコネクタの一実施形態の外観斜視図である。
【図２】図１に示すコネクタのインナハウジングの外観斜視図である。
【図３】図１に示すコネクタのアウタハウジングの外観斜視図である。
【図４】図３とは別角度からみた図１に示すコネクタのアウタハウジングの外観斜視図である。
【図５】図１に示すコネクタのインナハウジングに収容された第１端子の外観斜視図である。
【図６】図１に示すコネクタのインナハウジングに収容された第２端子の外観斜視図である。
【図７】図１に示すコネクタの正面図である。
【図８】図７におけるI−I線断面図である。
【図９】図７におけるII−II線断面図である。
【図１０】従来のコネクタの概略図である。
【符号の説明】
【００４５】
１０    コネクタ
１１    インナハウジング
１２    アウタハウジング
１３    第１端子（端子）
１４    第２端子（端子）
２０    第１端子収容室（端子収容室）
２１    第２端子収容室（端子収容室）
２８    突部（押圧部）
２９    リブ（押圧部、支持部）
３０    リブ（支持部）
【図１】
0004593501.tif 000002
【図２】
0004593501.tif 000003
【図３】
0004593501.tif 000004
【図４】
0004593501.tif 000005
【図５】
0004593501.tif 000006
【図６】
0004593501.tif 000007
【図７】
0004593501.tif 000008
【図８】
0004593501.tif 000009
【図９】
0004593501.tif 000010
【図１０】
0004593501.tif 000011